(57)【要約】【課題】電源側バスバーおよびアース側バスバーへのコンデンサのリード部の接続作業を簡便且つ容易に行うことができると共に、それらの接続安定性を有利に維持することができる、新規な構造のコンデンサ内蔵ジョイントコネクタを提供すること。【解決手段】コネクタハウジング２２が、電源側／アース側バスバー１４，１８を保持するバスバー保持部５２と、コンデンサ保持部５４と、その間の接続領域５０とを含んで構成され、接続領域５０には、電源側／アース側バスバー１４，１８のリード接続部３４，４０と、コンデンサ２０のリード部４６が、相互に重ね合わされて電気的に接続されている一方、コンデンサ保持部５４が、上側部分筒体６２及び下側部分筒体６４と、上側部分筒体６２の底壁６６を有し、底壁６６には、リード挿通孔６８が貫設されている一方、上側部分筒体６２が下側部分筒体６４に対して着脱自在に組み付けられるようにした。【選択図】図１
2014096211.tif 000002
【特許請求の範囲】
【請求項１】
複数の端子部を有する電源側バスバーと、複数の端子部を有するアース側バスバーと、前記電源側バスバーと前記アース側バスバーの間を接続するコンデンサが、コネクタハウジングに収容保持されてなるコンデンサ内蔵ジョイントコネクタにおいて、
前記コネクタハウジングが、該コネクタハウジングの一端側に設けられて前記電源側バスバーと前記アース側バスバーを保持するバスバー保持部と、前記コネクタハウジングの他端側に設けられて前記バスバー保持部から離隔した位置に前記コンデンサを保持するコンデンサ保持部と、前記バスバー保持部と前記コンデンサ保持部との間に設けられた接続領域とを含んで構成されている一方、
前記コンデンサが、コンデンサ本体と、該コンデンサ本体の底面から同じ向きに突出する一対のリード部を備えていると共に、
前記電源側バスバーと前記アース側バスバーが、前記コンデンサの前記一対のリード部が接続されるリード接続部をそれぞれ備えており、
前記コネクタハウジングの前記接続領域には、前記バスバー保持部から前記コンデンサ保持部に向かって突出する前記電源側バスバーおよび前記アース側バスバーの前記リード接続部と、前記コンデンサ保持部から前記バスバー保持部に向かって突出する前記コンデンサの前記一対のリード部が、相互に重ね合わされて電気的に接続されている一方、
前記コンデンサ保持部が、軸直方向で組み合わされて前記コンデンサ本体の外周面を覆う筒壁を構成する上側部分筒体および下側部分筒体と、前記上側部分筒体の端部に一体形成されて前記コンデンサ本体の前記底面に対向する底壁とを有して構成されており、該底壁には、前記コンデンサの前記一対のリード部が挿通される一対のリード挿通孔が貫設されている一方、前記下側部分筒体が前記コネクタハウジングの他端側に固定的に設けられていると共に、前記上側部分筒体が前記下側部分筒体に対して着脱自在に組み付けられるようになっている
ことを特徴とするコンデンサ内蔵ジョイントコネクタ。
【請求項２】
前記コンデンサ保持部が、前記コンデンサ本体の上面と対向する上壁を含んで構成されており、該上壁が、前記上側部分筒体および前記下側部分筒体の少なくとも一方の端部に一体形成されている請求項１に記載のコンデンサ内蔵ジョイントコネクタ。
【請求項３】
前記コネクタハウジングが前記接続領域を画成する矩形枠体部を有しており、該矩形枠体部の一対の対向壁部の一方に前記バスバー保持部が一体形成されている一方、前記一対の対向壁部の他方に前記下側部分筒体が上方に開口して一体形成されている請求項１又は２に記載のコンデンサ内蔵ジョイントコネクタ。
【請求項４】
前記上側部分筒体の端部に一体形成された前記底壁には、前記コネクタハウジングの他端部に係合保持される係合部が形成されている請求項１〜３の何れか１項に記載のコンデンサ内蔵ジョイントコネクタ。
【発明の詳細な説明】
【技術分野】
【０００１】
本発明は、複数の端子部を有する電源側バスバーと、複数の端子部を有するアース側バスバーと、それら電源側バスバーとアース側バスバーの間を接続するコンデンサが、コネクタハウジングに収容保持されてなるコンデンサ内蔵ジョイントコネクタに関するものである。
【背景技術】
【０００２】
従来から、自動車等に搭載された電気・電子機器から導出される複数の電線を一括接続するジョイントコネクタの一種として、複数の端子部を有する電源側バスバーと複数の端子部を有するアース側バスバーの間にコンデンサが接続されたコンデンサ内蔵ジョイントコネクタが知られている。例えば、特開２００７−２８７６４４号公報（特許文献１）に記載のものがそれである。このようなコンデンサ内蔵ジョイントコネクタによれば、電源側バスバーの端子部に接続された各種機器のプラス側や電源のプラス側から導出される複数の電線が、電源側バスバーを介して一括接続される一方、アース側バスバーの端子部に接続された各種機器のマイナス側や電源のマイナス側から導出される複数の電線が、アース側バスバーに一括接続される。そして、アース接続されたコンデンサが電源側に接続されることにより、電源側に発生するノイズを除去することができるようになっている。
【０００３】
ところで、このような従来構造のコンデンサ内蔵ジョイントコネクタでは、特許文献１の図５や図６に示されるように、電源側バスバーおよびアース側バスバーをコネクタハウジングに収容配置した状態で、コンデンサの一対のリード部を、各バスバーに形成されたリード接続部に設けられた挿通孔に挿通してそれぞれ半田付けすることにより、コンデンサと電源側バスバーおよびアース側バスバーの接続が図られている。
【０００４】
ところが、コンデンサから突出する一対のリード部を各バスバーの挿通孔に合う位置で屈曲させて挿通する作業は非常に煩雑であり、作業効率の悪化を招いていた。しかも、各リード部を各リード接続部に半田付けする際には、治具等でコンデンサとコネクタハウジングを位置決め保持する必要があり、作業に必要な部品点数や工数の増加を招き、作業性をさらに悪化させていた。
【先行技術文献】
【特許文献】
【０００５】
【特許文献１】特開２００７−２８７６４４号公報
【発明の概要】
【発明が解決しようとする課題】
【０００６】
本発明は、上述の事情を背景に為されたものであって、その解決課題は、電源側バスバーおよびアース側バスバーへのコンデンサのリード部の接続作業を簡便且つ容易に行うことができると共に、それらの接続安定性を有利に維持することができる、新規な構造のコンデンサ内蔵ジョイントコネクタを提供することにある。
【課題を解決するための手段】
【０００７】
本発明の第一の態様は、複数の端子部を有する電源側バスバーと、複数の端子部を有するアース側バスバーと、前記電源側バスバーと前記アース側バスバーの間を接続するコンデンサが、コネクタハウジングに収容保持されてなるコンデンサ内蔵ジョイントコネクタにおいて、前記コネクタハウジングが、該コネクタハウジングの一端側に設けられて前記電源側バスバーと前記アース側バスバーを保持するバスバー保持部と、前記コネクタハウジングの他端側に設けられて前記バスバー保持部から離隔した位置に前記コンデンサを保持するコンデンサ保持部と、前記バスバー保持部と前記コンデンサ保持部との間に設けられた接続領域とを含んで構成されている一方、前記コンデンサが、コンデンサ本体と、該コンデンサ本体の底面から同じ向きに突出する一対のリード部を備えていると共に、前記電源側バスバーと前記アース側バスバーが、前記コンデンサの前記一対のリード部が接続されるリード接続部をそれぞれ備えており、前記コネクタハウジングの前記接続領域には、前記バスバー保持部から前記コンデンサ保持部に向かって突出する前記電源側バスバーおよび前記アース側バスバーの前記リード接続部と、前記コンデンサ保持部から前記バスバー保持部に向かって突出する前記コンデンサの前記一対のリード部が、相互に重ね合わされて電気的に接続されている一方、前記コンデンサ保持部が、軸直方向で組み合わされて前記コンデンサ本体の外周面を覆う筒壁を構成する上側部分筒体および下側部分筒体と、前記上側部分筒体の端部に一体形成されて前記コンデンサ本体の前記底面に対向する底壁とを有して構成されており、該底壁には、前記コンデンサの前記一対のリード部が挿通される一対のリード挿通孔が貫設されている一方、前記下側部分筒体が前記コネクタハウジングの他端側に固定的に設けられていると共に、前記上側部分筒体が前記下側部分筒体に対して着脱自在に組み付けられるようになっていることを、特徴とする。
【０００８】
本発明に従う構造とされたコンデンサ内蔵ジョイントコネクタによれば、コネクタハウジングの一端側に設けられたバスバー保持部と、他端側に設けられたコンデンサ保持部の間に接続領域が設けられており、当該接続領域内において、コンデンサのリード部と電源側バスバーおよびアース側バスバーのリード接続部とが相互に重ね合わされて電気的に接続される構造とされている。従って、コネクタハウジングのバスバー保持部とコンデンサ保持部の間の中間部分に設けられた接続領域を利用することにより、当該接続領域内でリード部とリード接続部を容易且つ安定して電気的に接続させることができる。特に、コネクタハウジングの両端側で接続対象である電源側バスバー／アース側バスバーとコンデンサが保持されていることから、接続対象の位置決めをコネクタハウジングへの装着と同時に容易に達成できる。これにより、従来構造に比して接続工程に必要とされる治具や位置合わせの作業を有利に削減して、接続作業を簡便且つ容易に行うことができる。
【０００９】
また、接続領域がバスバー保持部とコンデンサ保持部の間に設けられていることから、各バスバーから突出するリード接続部や、コンデンサ本体の底面から突出する一対のリード部を屈曲等することなく、接続領域内に突出させるのみで、リード接続部とリード部を重ね合わせて電気的に接続させることができる。それ故、従来構造の如きコンデンサの一対のリード部をリード接続部の位置に合わせて屈曲させる必要がなく、接続作業の一層の効率化を図ることができる。
【００１０】
加えて、コンデンサ保持部には、リード挿通孔が設けられていることから、コンデンサのリード部をリード挿通孔に挿通するだけで、コンデンサ保持部に保持されたコンデンサを確実に位置決め保持することができ、リード部とリード接続部の接続作業時やその後の使用時におけるコンデンサの回転による接続不良等を未然に防止することができる。なお、コンデンサ保持部の底壁にこのようなリード挿通孔を設けた際には、コンデンサ本体の底面から突出するリード部をコンデンサ保持部の奥方にあるリード挿通孔に挿通する作業が困難となり、却って作業性を悪化させることが予測できるが、本発明ではかかる作業も容易に行い得るようになっている。
【００１１】
すなわち、コンデンサ保持部の筒壁が、軸直方向で組み合わされる上側部分筒体および下側部分筒体に分割して構成されていると共に、下側部分筒体がコネクタハウジングの他端側に固定的に設けられている一方、上側部分筒体の端部にリード挿通孔が形成された底壁が一体形成されている。従って、先ず、上側部分筒体の底壁のリード挿通孔にコンデンサのリード部を挿通して、上側部分筒体をコンデンサに装着することができる。その際、上側部分筒体の端部に一体形成された底壁は、周囲から容易に目視やアクセスが可能であることから、リード挿通孔にコンデンサのリード部を挿通する作業は非常に容易に行うことができる。しかも、上側部分筒体は、コネクタハウジングとは別体形成されていることから、取り扱いも簡単となり、一層の作業性の向上が図られる。そして、コンデンサに装着された上側部分筒体をコネクタハウジングに設けられた下側部分筒体に組み付ける簡単な作業により、コンデンサのコンデンサ保持部への装着作業が完了するのである。
【００１２】
なお、コンデンサのリード部とバスバーのリード接続部の接続方法も任意であり、接続領域で実施し得るものであれば、抵抗溶接の他、半田付け等の方法により電気的に接続されるようにしてもよい。
【００１３】
本発明の第二の態様は、前記第一の態様に記載のものにおいて、前記コンデンサ保持部が、前記コンデンサ本体の上面と対向する上壁を含んで構成されており、該上壁が、前記上側部分筒体および前記下側部分筒体の少なくとも一方の端部に一体形成されているものである。
【００１４】
本態様によれば、上側部分筒体と下側部分筒体を軸直方向で組み合わせることにより、上側部分筒体の底壁と上下側分割体の少なくとも一方に設けられた上壁との間で、コンデンサ本体を軸方向に挟んだ状態で、コンデンサ本体をコンデンサ保持部内に収容保持することができる。これにより、リード部と電源側／アース側リード接続部の接続工程において、コンデンサの軸方向の位置ずれを防止する特別な治具等を不要とすることができ、更なる接続作業の簡便化を図ることができる。
【００１５】
なお、上壁は、コンデンサ本体の上面全体を覆い得る大きさである必要はなく、例えば、半円形の上壁を下側部分筒体の端部に形成してもよいし、一対の半円形の上壁を上下側部分筒体のそれぞれに設け、一対の半円形の上壁が協働してコンデンサ本体の上面全体を覆うようにしてもよい。さらに、上下側部分筒体の何れか一方に、円形の上壁を設けることも可能である。また、コンデンサ本体の上面とは、コンデンサ本体の軸方向においてリード部が突出する底面と対向する端面を言う。
【００１６】
本発明の第三の態様は、前記第一又は第二の態様に記載のものにおいて、前記コネクタハウジングが前記接続領域を画成する矩形枠体部を有しており、該矩形枠体部の一対の対向壁部の一方に前記バスバー保持部が一体形成されている一方、前記一対の対向壁部の他方に前記下側部分筒体が上方に開口して一体形成されているものである。
【００１７】
本態様によれば、コネクタハウジングの矩形枠体部により接続領域が画成されていることから、コネクタハウジングの剛性を確保しつつ、中間部分に中空の接続領域を形成することができる。これにより、接続領域におけるリード部とリード接続部の接続方向の選択自由度が飛躍的に向上され、矩形枠体部の中央部分に抵抗溶接の設備を挿入して、リード部とリード接続部を抵抗溶接等の機械作業により、一層効率よく行うことも可能となる。
【００１８】
また、矩形枠体部の一対の対向壁部にバスバー保持部と下側部分筒体が一体形成されていることから、それらの剛性やコネクタハウジング全体の剛性が確保されて、接続対象である各バスバーのリード接続部とコンデンサのリード部の位置決めを一層精度よく行うことが可能となる。
【００１９】
本発明の第四の態様は、前記第一乃至第三の何れかの態様に記載のものにおいて、前記上側部分筒体の端部に一体形成された前記底壁に、前記コネクタハウジングの他端部に係合保持される係合部が形成されているものである。
【００２０】
本態様によれば、上側部分筒体が下側部分筒体のみならず、コネクタハウジングに対しても、係合部を介して係合保持されることから、コンデンサ保持部に収容されたコンデンサの位置決め安定性を一層有利に実現し、接続作業中や使用時のコンデンサの軸方向の位置ずれを有利に防止できるのである。また、上側部分筒体の底壁に設けた係合部をコネクタハウジングの他端部に係合保持させることにより、上下側部分筒体の相互の位置決めも同時に実現することが可能となって、一層の組み付け作業性の向上を図ることができる。
【発明の効果】
【００２１】
本発明においては、コネクタハウジングの一端側に設けられたバスバー保持部と、他端側に設けられたコンデンサ保持部の間に接続領域が設けられており、当該接続領域内において、コンデンサのリード部と電源側バスバーおよびアース側バスバーのリード接続部を電気的に接続するようにした。これにより、接続対象を少ない部品点数で確実に位置決め保持して接続工程を容易且つ簡便に行うことができる。しかも、コンデンサ保持部がリード挿通孔を有する底壁を備えた上側部分筒体と、コネクタハウジングに固定的に設けられた下側部分筒体に分割されており、底壁に設けたリード挿通孔にコンデンサのリード部が容易に挿通し得え、コンデンサの位置決め性を簡易な作業により有利に実現することができる。
【図面の簡単な説明】
【００２２】
【図１】本発明の一実施形態としてのコンデンサ内蔵ジョイントコネクタの分解斜視図。
【図２】図１に示したコネクタハウジングに対して、電源側バスバー，アース側バスバーおよびコンデンサを組み付けたコネクタ本体と、コネクタケースを示す分解斜視図。
【図３】図１に示したコネクタハウジングの要部拡大平面図。
【図４】図１に示したコネクタハウジングのコンデンサ保持部に対するコンデンサの組み付け方法について説明する要部拡大側面図。
【発明を実施するための形態】
【００２３】
以下、本発明の実施形態について、図面を参照しつつ説明する。
【００２４】
先ず、図１および図２に、本発明の一実施形態としてのコンデンサ内蔵ジョイントコネクタ１０の分解斜視図を示す。コンデンサ内蔵ジョイントコネクタ１０は、複数の端子部１２を有する電源側バスバー１４と、複数の端子部１６を有するアース側バスバー１８と、電源側バスバー１４とアース側バスバー１８の間を接続するコンデンサ２０が、コネクタハウジング２２に収容保持されてなるコネクタ本体２４を含んで構成されている。そして、コネクタ本体２４がコネクタケース２６に収容保持されることにより、本実施形態のコンデンサ内蔵ジョイントコネクタ１０が構成されるようになっている。
【００２５】
より詳しくは、電源側バスバー１４およびアース側バスバー１８は、銅や銅合金等の導通性金属平板を所定の形状にプレス打ち抜き加工等して形成されている。図１に示すように、電源側バスバー１４は、相互に離隔して整列配置された複数の端子部１２が、それらの基端部側でビーム状の連結部３０を介して相互に連結されている。連結部３０を挟んで端子部１２と反対側には、連結部３０の両端側から突出する一対の係合突部３２ａ，３２ｂが突設されている。また、連結部３０の中央部分のやや係合突部３２ａ寄りには、帯状の電源側リード接続部３４が係合突部３２ａ，３２よりも大きな突出長さで突設されている。同様に、アース側バスバー１８は、相互に離隔して整列配置された複数の端子部１６が、それらの基端部側でビーム状の連結部３６を介して相互に連結されている。連結部３６を挟んで端子部１６と反対側には、連結部３６の両端側から突出する一対の係合突部３８ａ，３８ｂが突設されている。また、連結部３６の中央部分の係合突部３８ｂ寄りには、帯状のアース側リード接続部４０が係合突部３８ａ，３８よりも大きな突出長さで突設されている。なお、アース側リード接続部４０は、突出先端部側が側面視でクランク状に屈曲されて立ち上げられており、その突出先端面４０ａが、端子部１６よりも上方に位置されるようになっている。
【００２６】
電源側バスバー１４とアース側バスバー１８の間を接続するコンデンサ２０は、円筒形状のコンデンサ本体４２と、コンデンサ本体４２の底面４４から同じ向きである軸方向外方（図１中、左側）に突出する一対のリード部４６ａ，４６ｂを備えている。このような構造を備えたコンデンサ２０として、従来から公知の電解コンデンサやフィルムコンデンサ等の各種コンデンサが好適に採用可能である。
【００２７】
これらの電源側バスバー１４、アース側バスバー１８およびコンデンサ２０を収容保持するコネクタハウジング２２は、非導通性の合成樹脂材料を射出成形等により一体形成した構造とされている。図１に示すように、コネクタハウジング２２は、その中央部分に矩形枠体部４８を備えており、矩形枠体部４８の内部に形成される中空領域により、矩形枠体部４８によって画成される接続領域５０が構成されるようになっている。コネクタハウジング２２の長手方向の一端側となる、矩形枠体部４８の一対の対向壁部の一方（図１中、左側）には、バスバー保持部５２が一体形成されている。また、コネクタハウジング２２の長手方向の他端側となる、矩形枠体部４８の一対の対向壁部の他方（図１中、右側）には、バスバー保持部５２から長手方向に離隔した位置に、コンデンサ２０を収容保持するコンデンサ保持部５４が設けられている。
【００２８】
バスバー保持部５２には、コンデンサ保持部５４との対向方向で内部を貫通する電源側バスバー収容孔５６とアース側バスバー収容孔５８が形成されている。電源側バスバー収容孔５６とアース側バスバー収容孔５８は、矩形枠体部４８の軸方向の上下に並ぶように配列されている。そして、バスバー保持部５２の電源側バスバー収容孔５６に対して、外方開口側（図１中、左側）から電源側バスバー１４が挿し入れられると、電源側バスバー収容孔５６の内部に形成された図示しない係合凹部に、電源側バスバー１４に設けられた一対の係合突部３２ａ，３２ｂが嵌り込んで保持される。これにより、電源側バスバー１４が、バスバー保持部５２の電源側バスバー収容孔５６の所定位置に位置決めされて保持される。かかる位置決め状態下において、電源側バスバー１４に設けられた電源側リード接続部３４が、電源側バスバー収容孔５６を貫通して、バスバー保持部５２からコンデンサ保持部５４に向かって突出するようにして、接続領域５０内に配設されている。
【００２９】
同様に、バスバー保持部５２のアース側バスバー収容孔５８に対して、外方開口側（図１中、左側）からアース側バスバー１８が挿し入れられる。なお、アース側バスバー１８は、前述のとおり先端側がクランク状に折り曲げられたアース側リード接続部４０を有していることから、アース側リード接続部４０を全長に亘ってアース側バスバー収容孔５８に挿通することは不可能である。そこで、アース側バスバー収容孔５８の底面には、切欠部６０が形成されている。そして、アース側バスバー１８をアース側バスバー収容孔５８に挿し入れる際には、先ず、アース側リード接続部４０の基端部側を下方から切欠部６０に嵌め入れるようにしてアース側バスバー収容孔５８に挿し入れる。その後、アース側バスバー１８の一対の係合突部３８ａ，３８ｂを、アース側バスバー収容孔５８の外方開口側（図１中、左側）から奥方に挿し入れると、アース側バスバー収容孔５８の内部に形成された図示しない係合凹部に、アース側バスバー１８の一対の係合突部３８ａ，３８ｂが嵌り込んで保持される。これにより、アース側バスバー１８が、バスバー保持部５２のアース側バスバー収容孔５８の所定位置に位置決めされて保持されるのである。
【００３０】
ここで、バスバー保持部５２に収容保持された電源側バスバー１４の電源側リード接続部３４の上面と、アース側バスバー１８のアース側リード接続部４０の突出先端面４０ａの上面が、矩形枠体部４８の軸方向において略同じ位置に保持されるようになっている。
【００３１】
一方、コネクタハウジング２２の他端側に設けられたコンデンサ保持部５４は、図１に示すように、矩形枠体部４８の軸方向において上方に位置する上側部分筒体６２と、下方に位置する下側部分筒体６４を含んで構成されている。上下側部分筒体６２，６４は、何れも半円弧形断面で軸方向に延びる半筒体とされており、コンデンサ保持部５４の軸直方向となる上下側から相互に組み合わされることにより、コンデンサ本体４２の外周面を覆う略円筒状の筒壁を構成するようになっている。
【００３２】
上側部分筒体６２には、軸方向一方側となる矩形枠体部４８側の端部に、コンデンサ本体４２の底面４４に対向する底壁６６が、軸直方向の下方に向かって突出するように一体形成されている。この底壁６６には、コンデンサ２０の一対のリード部４６ａ，４６ｂが挿通される一対のリード挿通孔６８ａ，６８ｂが貫設されている。さらに、底壁６６の軸直方向下方側の突出端面には、コネクタハウジング２２の他端部となる矩形枠体部４８のコンデンサ保持部５４側の壁部に対して係合保持される係合部７０が突設されている。この係合部７０は、底壁６６の突出端面から下方に突出して、底壁６６の周方向で略矩形断面形状で所定長さに亘って延出する突条とされている。
【００３３】
さらに、上側部分筒体６２には、周方向の両端縁部における軸方向で離隔する２箇所から、軸直方向の下方に向かって突出するロック爪部７２が一体形成されている。なお、本実施形態では、図１に表れる上側部分筒体６２の一方の側面と、図１に表れない上側部分筒体６２の他方の側面のそれぞれに、ロック爪部７２が二つずつ形成されている。
【００３４】
一方、下側部分筒体６４は、コネクタハウジング２２の長手方向の他端側となる、矩形枠体部４８の一対の対向壁部の他方（図１中、右側）に対して、上方に開口する向きで一体形成されている。図３に拡大して示すように、下側部分筒体６４は、軸方向の一方となる矩形枠体部４８側の端部が、矩形枠体部４８の壁部に一体的に連接されている。下側部分筒体６４が連接された矩形枠体部４８の壁部には、幅方向（図３中、上下方向）に所定長さでストレートに延びる係合溝７４が形成されている。また、係合溝７４よりもさらに矩形枠体部４８の中央側寄りの位置には、一対のリード部４６ａ，４６ｂを保持するリード支持台７６が突設されており、リード支持台７６の上面には、一対のリード保持溝７８ａ，７８ｂが所定長さに亘って略半円形断面形状で延出形成されている。
【００３５】
さらに、下側部分筒体６４は、軸方向の他方となる矩形枠体部４８から離隔した端部には、コンデンサ本体４２の底面４４と軸方向で対向するコンデンサ本体４２の上面８０と対向する上壁８２が一体形成されている。上壁８２は、略半円形状とされており、半円弧断面形状で延びる下側部分筒体６４の端部開口を覆蓋するように形成されている（図１参照）。また、下側部分筒体６４には、周方向の両端縁部における軸方向で離隔する２箇所から、径方向外方に向かって突出するロック突部８４が一体形成されている。なお、本実施形態では、図１に表れる下側部分筒体６４の側面とあらわれない側面に、上側部分筒体６２のロック爪部７２に対応するロック突部８４がそれぞれ二つずつ形成されている。
【００３６】
次に、図４を用いて、電源側バスバー１４とアース側バスバー１８がバスバー保持部５２に収容保持されたコネクタハウジング２２に対して、コンデンサ２０を装着する作業について説明する。図４（ａ）に示すように、先ず、上側部分筒体６２の底壁６６に設けられたリード挿通孔６８ａ，６８ｂにコンデンサ２０のリード部４６ａ，４６ｂを挿通して、上側部分筒体６２をコンデンサ２０に装着する。この時、上側部分筒体６２の端部に一体形成された底壁６６は、コネクタハウジング２２と別体形成された小さな部品であることから、容易に把持等することができ、且つ底壁６６に設けられたリード挿通孔６８ａ，６８ｂは周囲から容易に目視やアクセスが可能である。従って、リード挿通孔６８ａ，６８ｂにコンデンサ２０のリード部４６ａ，４６ｂを挿通する作業は非常に容易に行うことができる。
【００３７】
続いて、図４（ｂ）に示すように、このようにコンデンサ２０に装着された上側部分筒体６２を、コネクタハウジング２２に一体的に設けられた下側部分筒体６４に組み付ける。その際、上側部分筒体６２の底壁６６に突設された係合部７０を、矩形枠体部４８に形成された係合溝７４に位置合わせして嵌め入れることにより、上側部分筒体６２と下側部分筒体６４の軸方向の位置決めが為されるようになっている。従って、係合部７０を係合溝７４に位置合わせして嵌め入れる簡単な作業により、コンデンサ２０を上下側部分筒体６２，６４間の空間に収容すると共に、上側部分筒体６２に形成されたロック爪部７２を下側部分筒体６４に形成されたロック突部８４にロック嵌合させることができる。これにより、上側部分筒体６２と下側部分筒体６４が離脱可能に軸直方向で組み合わされて、内部にコンデンサ本体４２を収容した状態で、略円筒形状のコンデンサ保持部５４を構成しているのである。なお、本実施形態においては、上側部分筒体６２が下側部分筒体６４とロック嵌合された際に、上側部分筒体６２よりも下側部分筒体６４の上壁８２が形成された端部が、軸方向外方に突出するようになっており、コンデンサ２０の上面８０の位置を上方から目視で確認できるようになっている。
【００３８】
このように、コンデンサ２０に装着された上側部分筒体６２を下側部分筒体６４を離脱可能に組み付けることにより、図２に示すように、一対のリード挿通孔６８ａ，６８ｂから突出する一対のリード部４６ａ，４６ｂが、リード支持台７６に形成された一対のリード保持溝７８ａ，７８ｂに嵌め入れられて保持されるようになっている。なお、リード挿通孔６８ａ，６８ｂやリード保持溝７８ａ，７８ｂの底面は、矩形枠体部４８の軸方向において、電源側リード接続部３４の上面やアース側リード接続部４０の突出先端面４０ａの上面よりも僅かに上方に位置されている。
【００３９】
このように、コネクタハウジング２２に対して、電源側バスバー１４とアース側バスバー１８がバスバー保持部５２に収容保持される一方、コンデンサ２０がコンデンサ保持部５４に収容保持されることにより、図２に示すように、矩形枠体部４８によって画成された接続領域５０内には、バスバー保持部５２からコンデンサ保持部５４に向かって突出する電源側バスバー１４の電源側リード接続部３４およびアース側バスバー１８のアース側リード接続部４０と、コンデンサ保持部５４からバスバー保持部５２に向かって突出するコンデンサ２０の一対のリード部４６ａ，４６ｂが、矩形枠体部４８の軸方向で相互に重ね合わされた状態で位置決め保持されている。従って、図２に示す状態において、任意の方法により、一対のリード部４６ａ，４６ｂを、電源側リード接続部３４とアース側リード接続部４０にそれぞれ電気的に接続させることができる。本実施形態においては、矩形枠体部４８の軸方向上下側から、図示しない抵抗溶接機の一対の電極チップを挿入して、一対のリード部４６ａ，４６ｂと、電源側リード接続部３４およびアース側リード接続部４０の重ね合せ部分を、電極チップ間で挟み込み、抵抗溶接によりそれらが電気的に接続されている。
【００４０】
一対のリード部４６ａ，４６ｂと、電源側リード接続部３４およびアース側リード接続部４０が相互に重ね合わされて抵抗溶接によって電気的に接続された、図２に示すコネクタ本体２４は、最終的に、コネクタケース２６に収容保持される（図２参照）。コネクタケース２６は、非導電性の合成樹脂材により形成されており、一端側にコンデンサ保持部５４を収容する有底円筒部８６を有する一方、他端側がバスバー保持部５２を収容する矩形筒体部８８を有している。そして、矩形筒体部８８の開口部から、コネクタ本体２４がコンデンサ保持部５４を先頭に挿し入れられることにより、コネクタケース２６内に、コネクタ本体２４が位置決め保持されて収容されるようになっている。これにより、本実施形態に従うコンデンサ内蔵ジョイントコネクタ１０が提供される。このようなコンデンサ内蔵ジョイントコネクタ１０は、図示しない相手側コネクタに接続されて使用される。これにより、電源側バスバー１４の端子部１２に接続された各種機器のプラス側や電源のプラス側から導出される複数の電線が、電源側バスバー１４を介して一括接続される一方、アース側バスバー１８の端子部１６に接続された各種機器のマイナス側や電源のマイナス側から導出される複数の電線が、アース側バスバー１８に一括接続され、コンデンサ２０を介して電源側に発生するノイズを除去することができるようになっている。
【００４１】
このような本実施形態のコンデンサ内蔵ジョイントコネクタ１０によれば、コネクタハウジング２２の両端側に設けられたバスバー保持部５２とコンデンサ保持部５４に対して、それぞれ電源側バスバー１４およびアース側バスバー１８とコンデンサ２０を装着するだけで、それらの間に設けられた接続領域５０において、電気的な接続対象である電源側リード接続部３４およびアース側リード接続部４０と、コンデンサ２０のリード部４６ａ，４６ｂを屈曲等する必要なく、重ね合わせ状態に位置決め保持することができる。それ故、接続対象の位置決めをコネクタハウジング２２への装着と同時に容易に達成できる。これにより、従来構造に比して接続工程に必要とされる治具や位置合わせの作業さらにはリード部４６ａ，４６ｂの屈曲作業等を削減して、接続作業の簡便性や容易性さらには効率性を飛躍的に向上させることができる。
【００４２】
しかも、コンデンサ保持部５４には、リード挿通孔６８ａ，６８ｂが設けられていることから、コンデンサ２０のリード部４６ａ，４６ｂをリード挿通孔６８ａ，６８ｂに挿通するだけで、コンデンサ保持部５４に保持されたコンデンサ２０の中心軸周りの回転を防止することができる。これにより、接続作業時やその後の使用時におけるコンデンサ２０の回転によるリード部４６ａ，４６ｂと電源側およびアース側のリード接続部３４，４０の接続不良等を未然に防止することができる。
【００４３】
さらに、コンデンサ保持部５４が、コネクタハウジング２２に一体形成された下側部分筒体６４とそれに対して軸直方向で組み付けられる、コネクタハウジング２２とは別体形成された上側部分筒体６２から構成されている。従って、上側部分筒体６２の端部に一体形成された底壁６６に設けられたリード挿通孔６８ａ，６８ｂは周囲から容易に目視やアクセスが可能であり、リード挿通孔６８ａ，６８ｂにコンデンサ２０のリード部４６ａ，４６ｂを挿通する作業を非常に容易に行うことができ、作業性の向上も図られているのである。また、上側部分筒体６２と下側部分筒体６４を組み合わせた後は、上側部分筒体６２の底壁６６と下側部分筒体６４の上壁８２との間で、コンデンサ本体４２を軸方向に挟んだ状態で、コンデンサ本体４２をコンデンサ保持部５４内に収容保持することができる。これにより、リード部４６ａ，４６ｂと電源側／アース側リード接続部３４，４０の接続工程において、コンデンサ２０の軸方向の位置ずれを防止する特別な治具等を不要とすることができ、更なる接続作業の簡便化を図ることができる。
【００４４】
特に、本実施形態では、上側部分筒体６２の底壁６６に突設された係合部７０を矩形枠体部４８に形成された係合溝７４に嵌め合わせることにより、上側部分筒体６２が、下側部分筒体６４のみならず、コネクタハウジング２２に対しても、位置決め保持されている。従って、コンデンサ保持部５４に収容されたコンデンサ２０の位置決め安定性を一層有利に実現し、接続作業中や使用時のコンデンサ２０の軸方向の位置ずれを有利に防止できるのである。
【００４５】
加えて、コネクタハウジング２２の矩形枠体部４８により接続領域５０が画成されていることから、コネクタハウジング２２の剛性を確保しつつ、中間部分に中空の接続領域５０を形成することができる。従って、接続領域５０の上下側から、図示しない抵抗溶接機の一対の電極チップを挿入して、一対のリード部４６ａ，４６ｂと、電源側リード接続部３４およびアース側リード接続部４０の重ね合せ部分を、電極チップ間で挟み込み、抵抗溶接により両者を接続することが可能となるのである。従って、両者を半田付け等で接続する場合に比して、作業効率を飛躍的向上できる。
【００４６】
また、矩形枠体部４８の一対の対向壁部にバスバー保持部５２と下側部分筒体６４が一体形成されていることから、それらの剛性やコネクタハウジング２２全体の剛性が確保されて、接続対象である電源側／アース側リード接続部３４，４０とコンデンサ２０のリード部４６ａ，４６ｂの位置決めを一層精度よく行うことが可能となる。
【００４７】
以上、本発明の実施形態について詳述したが、本発明はその具体的な記載によって限定されない。例えば、上側部分筒体６２の底壁６６と反対側の端部に上壁８２を設けてもよく、上側部分筒体６２の端部がコンデンサ２０の上面８０よりも軸方向外方に位置するようにしてもよい。
【００４８】
上側部分筒体６２と下側部分筒体６４を離脱可能に固定するロック構造は、例示のものに限定されない。例えば、上側部分筒体６２と下側部分筒体６４の当接端面間に凹凸嵌合部を設け、ロック構造がコンデンサ保持部５４の外面に突出しないようにしてもよい。
【００４９】
また、接続領域５０における電源側／アース側リード接続部３４，４０とコンデンサ２０のリード部４６ａ，４６ｂの接続方向は、上記実施形態の抵抗溶接に限定されず、半田付けやその他の任意の接続方向が採用可能である。
【符号の説明】
【００５０】
１０：コンデンサ内蔵ジョイントコネクタ、１２  端子部、１４：電源側バスバー、１６：端子部、１８：アース側バスバー、２０：コンデンサ、２２：コネクタハウジング、３４：電源側リード接続部（リード接続部）、４０：アース側リード接続部（リード接続部）、４２：コンデンサ本体、４４：底面、４６ａ，ｂ：リード部、４８：矩形枠体部、５０：接続領域、５２：バスバー保持部、５４：コンデンサ保持部、６２：上側部分筒体、６４：下側部分筒体、６６：底壁、６８ａ，ｂ：リード挿通孔、７０：係合部、８０：上面、８２：上壁
【図１】
2014096211.tif 000003
【図２】
2014096211.tif 000004
【図３】
2014096211.tif 000005
【図４】
2014096211.tif 000006